(57)【要約】【課題】着脱が容易であるとともに、雨水を完全に排除し、しかも巻き付けて留める位置が調節可能としたレッグカバーを提供することにある。【解決手段】  膝上から足元まで巻きつけ可能な表面積を有するレッグカバー本体の一端部内側面には少なくとも上端部および下端部そして中間部に平面ファスナー（ワンタッチテープ）を、また本体の他端部外側面には上記平面ファスナーに接合自在な横幅の長い平面ファスナー（ワンタッチテープ）を配設するようにしたものである。【選択図】図１
0003175425.tif 000002
【実用新案登録請求の範囲】
【請求項１】
膝上から足元まで巻きつけ可能な表面積を有するレッグカバー本体の一端部内側面には少なくとも上端部および下端部そして中間部に平面ファスナーを、また本体の他端部外側面には上記平面ファスナーに接合自在な横幅の長い平面ファスナーを配設したことを特徴とするレッグカバー。
【考案の詳細な説明】
【技術分野】
【０００１】
本考案は、サイクルレインコートなどに使用されるレッグカバーに係るものである。
【背景技術】
【０００２】
従前から自転車用として便利な機能を備えたサイクルレインコートが種々提供されている。その中でも傘をさしてもレインコートを着ても濡れてしまう足を雨から守るために、パンツタイプあるいは巻きタイプのレッグカバーがあった。
【０００３】
しかしながら、上記した公知のレッグカバーについては、前者は着脱に靴を脱がなければならないという面倒さが、また後者は上端でボタン留めして側面をジッパーで開閉するものであるためジッパー部分から雨が内部に浸みこみやすいという欠点があった上に、脚の太さ細さには個人差があるため、人によって窮屈だとか、あるいは広過ぎるといった使用感に関する不満があったものである。
【先行技術文献】
【特許文献】
【０００４】
【特許文献１】実用新案登録第３１６４９３８号公報
【考案の概要】
【考案が解決しようとする課題】
【０００５】
解決しようとする問題点は、着脱が容易であるとともに、雨水を完全に排除し、しかも巻き付けて留める位置が調節可能としたレッグカバーを提供することにある。
【課題を解決するための手段】
【０００６】
本考案に係るレッグカバーは、膝上から足元まで巻きつけ可能な表面積を有するレッグカバー本体の一端部内側面には少なくとも上端部および下端部そして中間部に平面ファスナー（ワンタッチテープ）を、また本体の他端部外側面には上記平面ファスナーに接合自在な横幅の長い面ファスナー（ワンタッチテープ）を配設したものである。
【考案の効果】
【０００７】
本考案のレッグカバーは、膝上から足元まで巻きつけ可能な表面積を有するレッグカバー本体の一端部内側面には少なくとも上端部および下端部そして中間部に平面ファスナー（ワンタッチテープ）を、また本体の他端部外側面には上記平面ファスナーに接合自在な横幅の長い平面ファスナー（ワンタッチテープ）を配設したから、使用時に、レッグカバー本体１をレッグカバー本体１を脚に巻き付け、外側の面ファスナー（ワンタッチテープ）を対応する内側の横長の面ファスナー（ワンタッチテープ）の、自分が好ましいと思う位置に重ねて留めることができ、また取り外しも面接合を解くだけであるから着脱が容易である上に、取り付け位置の調節も容易自在にでき、雨水の侵入も確実に阻止できる。
【図面の簡単な説明】
【０００８】
【図１】図１は本案レッグカバーの展開図である。
【図２】図２は本案レッグカバーの一部を折った状態を示す平面図である。
【図３】図３は本案レッグカバーの使用要領を示す説明図である。
【図４】図４は本案レッグカバーの使用要領を示す説明図である。
【考案を実施するための形態】
【０００９】
膝上から足元まで巻きつけ可能な表面積を有するレッグカバー本体の一端部内側面には少なくとも上端部および下端部そして中間部に平面ファスナー（ワンタッチテープ）を、また本体の他端部外側面には上記平面ファスナーに接合自在な横幅の長い平面ファスナー（ワンタッチテープ）を配設する。
【実施例１】
【００１０】
図１は本案レッグカバーの展開図、図２は本案レッグカバーの一部を折った状態を示す平面図である。
図１および図２において、本考案に係るレッグカバーは、膝上から足元まで
巻き付け可能な表面積を有する右足用レッグカバー本体１の一端部内側面１ａ（足に巻きつけると内側となる）上端部２および下端部３そして中間部４に縦長の面ファスナー（ワンタッチテープ）５，６，７，７が、また本体の他端部外側面１ｂ（足に巻きつけると外側となる）の上端部８および下端部９そして中間部１０には上記縦長平面ファスナー５、６、７、７に接合自在な横長の面ファスナー（ワンタッチテープ）１１、１２、１３、１４、１４をそれぞれ配設したカラ、使用時に、レッグカバー本体１を足に巻きつけ、縦長の平面ファスナー（ワンタッチテープ）を対応する横長の平面ファスナー（ワンタッチテープ）の、自分が好ましいと思う位置に重ねるだけで留めることができ、また取り外しも面接合を解くだけであるから着脱が容易である上に、上記したように取り付け位置の調節も容易自在にでき、レッグカバー本体１を重ねた状態で平面ファスナー閉止されるので雨水の侵入も確実に阻止できる。
また、レッグカバー本体１の上端部２および下端部３を突成させたのは、使用時に目印になるとともに、レッグカバー本体１の上下の端部の接合時の重なりを伸ばしてより雨水の侵入を阻止するためである。
尚、図中１５はレッグカバー本体１の上端部外周面に設けられた平面ファスナー（ワンタッチテープ）で、この実施例では、図３に示すように、レッグカバー本体１をすべて留めたらつなぎ目を足の後ろにもってきて、図４に示すように、レッグカバー本体１の上記面ファスナーをレインコート１６の裾部内側に設けられた平面ファスナー１７に留めることにより、レインコートとレッグカバーを一体にして用いるようにしている。
上記実施例は、前述しているように、右足用のレッグカバー本体１を示し、左足用は配置構成が左右対称となる（左足用図面は省略する）。
【００１１】
尚、本考案は上記実施例において、レッグカバー本体の内側面の上端部に一個所、下端部に一個所そして中間部に２個所、またレッグカバー本体の外側面の上端部に一個所、下端部に一個所そして中間部に３個所平面ファスナー（ワンタッチテープ）をそれぞれ配設したが、少なくとも上端部および下端部そして中間部に配設してあればよく、配設個数については限定されない。また平面ファスナー（ワンタッチテープ）の種類についても限定されない。
【産業上の利用可能性】
【００１２】
本考案のレッグカバーは、膝上から足元まで巻きつけ可能な表面積を有するレッグカバー本体の一端部外側面には少なくとも上端部および下端部そして中間部に面ファスナー（ワンタッチテープ）を、また本体の他端部内側面には上記面ファスナーに接合自在な横幅の長い面ファスナー（ワンタッチテープ）を配設するようにしたから、使用時にレッグカバー本体を脚に巻き付け、外側の面ファスナー（ワンタッチテープ）を対応する内側の横長の面ファスナー（ワンタッチテープ）の、自分が好ましいと思う位置に重ねて留めることができ、また取り外しも面接合を解くだけであるから着脱が容易である上に、取り付け位置の調節も容易自在にでき、レッグカバー本体を重ねた状態で面ファスナーにより留めるので雨水の侵入も確実に阻止できる。
【符号の説明】
【００１３】
１    レッグカバー本体
１ａ  レッグカバー本体一端部内側面
１ｂ  レッグカバー本体他端部外側面
２    レッグカバー本体一端部内側面上端部
３    レッグカバー本体一端部内側面下端部
４    レッグカバー本体一端部内側面中間部
５    平面ファスナー（ワンタッチテープ）
６    平面ファスナー（ワンタッチテープ）
７    平面ファスナー（ワンタッチテープ）
８    レッグカバー本体他端部外側面上端部
９    レッグカバー本体他端部外側面下端部
１０  レッグカバー本体他端部外側面中間部
１１  平面ファスナー（ワンタッチテープ）
１２  平面ファスナー（ワンタッチテープ）
１３  平面ファスナー（ワンタッチテープ）
１４  平面ファスナー（ワンタッチテープ）
１５  平面ファスナー（ワンタッチテープ）
１６  レインコート
１７  平面ファスナー（ワンタッチテープ）
【図１】
0003175425.tif 000003
【図２】
0003175425.tif 000004
【図３】
0003175425.tif 000005
【図４】
0003175425.tif 000006